(57)【要約】【課題】プラグイン接続端子の挿入荷重を減少させることができ、母線バーへの挿入後は所定の圧着力を得ることができ、しかも構造が簡単で組み付け作業性も良好なプラグインユニット付回路遮断器を提供する。【解決手段】母線バーＢに嵌着されるプラグイン接続端子３をベース１に設けたプラグインユニット付回路遮断器であり、ベース１に設けたリブ１０をプラグイン接続端子３のプラグ４の先端に当接してプラグの先端を初期間隔よりも押し広げる。またリブ１０をサブカバーに設けてベース１に取り付けることもできる。プラグ４の先端が初期間隔よりも押し広げられているため、挿入荷重が少なくなり、母線バーＢへの嵌着作業が容易になる。【選択図】図５
2008123779.tif 000002
【特許請求の範囲】
【請求項１】
母線バーに嵌着されるプラグイン接続端子をベースに設けたプラグインユニット付回路遮断器において、プラグイン接続端子のプラグの先端に当接してプラグの先端を初期間隔よりも押し広げるリブを、ベースに設けたことを特徴とするプラグインユニット付回路遮断器。
【請求項２】
母線バーに嵌着されるプラグイン接続端子をベースに設けたプラグインユニット付回路遮断器において、プラグイン接続端子のプラグの先端に当接してプラグの先端を初期間隔よりも押し広げるリブを備えたサブカバーを、ベースに取り付けたことを特徴とするプラグインユニット付回路遮断器。
【発明の詳細な説明】
【技術分野】
【０００１】
本発明は、プラグイン接続端子を母線バーに嵌着して使用されるプラグインユニット付回路遮断器に関するものである。
【背景技術】
【０００２】
プラグインユニット付回路遮断器は、回路遮断器の電源側端子と電気的に接続されたプラグイン接続端子を母線バーに嵌着して使用されるものである。中型以上のプラグインユニット付回路遮断器は、特許文献１に示されるように、回路遮断器本体が搭載されるベースの裏面にプラグイン接続端子を備えた構造のものが一般的である。プラグイン接続端子としては、略Ｕ字状のプラグに円弧状のスプリングを組み込み、母線バーの両側面を強固に挟み込む構造が広く用いられている。
【０００３】
大容量の母線バーに嵌着して使用されるプラグインユニット付回路遮断器は、プラグイン接続端子が大型であり、また母線バー自体の幅も広くなっている。このため、プラグイン接続端子を母線バーに嵌着させるために必要な挿入荷重も大きくなり、手の力だけで押し込むことは難しくなっている。
【０００４】
そこで特許文献１の発明では、略Ｕ字状のプラグの内側に軸線方向にスライドできる金具を設け、コイルスプリングの力でこの金具をプラグの先端側に弾発することによってプラグ先端を押し広げ、挿入荷重を低減している。この構造によれば、母線バーへの取付け前にプラグの先端を母線バーの幅程度に開いておくことができ、母線バーへの挿入が容易となる。なお母線バーへの挿入によりコイルスプリングに抗して金具はプラグの奥側に押し込まれ、プラグ先端を押し広げる力はなくなるので、プラグイン接続端子と母線バーとの圧着力が損なわれることはない。
【０００５】
このように特許文献１の構造は挿入荷重の低減には有効である。しかしプラグイン接続端子の内部に金具やコイルスプリングを組み込まねばならないため、構造が複雑で部品組み付けの作業性が悪いという問題があった。また圧縮されたコイルスプリングが、プラグイン接続端子を母線バーから離脱させる方向の荷重を加えるため、振動等により離脱する可能性もあった。
【特許文献１】特開２００４−３６３０６６号公報
【発明の開示】
【発明が解決しようとする課題】
【０００６】
本発明は上記した従来の問題点を解決し、プラグイン接続端子の挿入荷重を減少させることができ、また母線バーへの挿入後は所定の圧着力を得ることができ、しかも構造が簡単で組み付け作業性も良好なプラグインユニット付回路遮断器を提供するためになされたものである。
【課題を解決するための手段】
【０００７】
上記の課題を解決するためになされた第１の発明は、母線バーに嵌着されるプラグイン接続端子をベースに設けたプラグインユニット付回路遮断器において、プラグイン接続端子のプラグの先端に当接してプラグの先端を初期間隔よりも押し広げるリブを、ベースに設けたことを特徴とするものである。
【０００８】
また同一の課題を解決するためになされた第２の発明は、母線バーに嵌着されるプラグイン接続端子をベースに設けたプラグインユニット付回路遮断器において、プラグイン接続端子のプラグの先端に当接してプラグの先端を初期間隔よりも押し広げるリブを備えたサブカバーを、ベースに取り付けたことを特徴とするものである。
【発明の効果】
【０００９】
これらの発明のプラグインユニット付回路遮断器においては、プラグイン接続端子のプラグの先端が、ベースまたはサブカバーのリブにより初期間隔（リブのないときのプラグの先端間隔）よりも予め押し広げられているため、初期間隔から母線バーの幅までプラグを押し広げる従来品に比較して、挿入荷重を減少させることができる。また、プラグの先端がリブから離れた後はリブの影響を受けることがないので、プラグイン接続端子と母線バーとの圧着力が損なわれることがないうえに、プラグイン接続端子を母線バーから離脱させる方向の荷重を受けることもない。
【発明を実施するための最良の形態】
【００１０】
以下に各発明の実施形態を示す。
図１〜図５は第１の発明の実施形態を示すもので、図１は母線バーへの取付け前の部分断面図、図２は底面図、図３は図１の要部拡大断面図、図４は母線バーへの取付け後の部分断面図、図５はその要部拡大断面図である。
【００１１】
図１、図２に示される１は樹脂製のベースであり、その上に回路遮断器本体２が搭載されている。ベース１の裏面（下面）には、母線バーＢに対応させてプラグイン接続端子３が設けられている。プラグイン接続端子３は弾性金属からなる逆Ｕ字状のプラグ４と、このプラグ４の先端を内側に弾発する円弧状のスプリング５を備えたものであり、ベース１の内部に組み込まれた導体６にネジ７によって固定されている。導体６の他端は回路遮断器本体２の電源側端子に接続されている。また図２に示されるように、プラグイン接続端子３はブレーカの極数に対応させて設けられており、この実施形態では３ケ所にプラグイン接続端子３が配置されている。
【００１２】
図３に拡大して示したように、ベース１の裏面にはプラグイン接続端子３の両外側に垂下する壁面８が一体に形成されており、その先端を内側に屈曲させたうえ、更に上向きに屈曲させ、プラグイン接続端子３のプラグ４の先端の外向きガイド部９に当接するリブ１０を形成してある。これらのリブ１０は、プラグ４の先端をスプリング５に抗して初期間隔よりも押し広げるが、その押し広げ幅は母線バーＢの幅よりも狭くなるように設定されている。
【００１３】
このように構成された第１の発明のプラグインユニット付回路遮断器は、図４、図５に示すようにプラグイン接続端子３を母線バーＢに嵌着して使用されるものであるが、ベース１の裏面のリブ１０によって予めプラグ４の先端が初期間隔よりも押し広げられているため、母線バーＢを図５のようにプラグ４の内部にまで挿入するために必要な挿入荷重が、リブ１０のない場合よりも少なくなり、母線バーＢへの嵌着作業が容易になる。しかも母線バーＢによってプラグ４の先端が押し広げられ、リブ１０から離れた後はリブ１０の影響がなくなり、プラグ４はスプリング５により設定された所定の圧着荷重で母線バーＢの側面に圧着される。
【００１４】
この構造はベース１の裏面にリブ１０を一体に形成しておくだけでよいため、特許文献１のようにプラグイン接続端子３の構造が複雑化することはなく、組み付け作業も容易である。
【００１５】
図６以下は第２の発明の実施形態を示す図であり、図６は母線バーへの取付け前の部分断面図、図７は図６の要部拡大断面図、図８はサブカバー装着前の斜視図、図９はサブカバー装着後の斜視図、図１０は母線バーへの取付け後の要部拡大断面図である。
【００１６】
前記した第１の発明ではリブ１０をベース１に一体的に形成したが、第２の発明ではサブカバー１１にリブ１０を形成した。サブカバー１１は図８に示すように中が空洞のＵ字状のブロックであり、ネジ１２によってベース１の裏面の垂下壁１３内に装着されている。なおこの部分は充電部に近い位置であるため、サブカバー１１のネジ取り付け部１４は図示のようにネジ１２の外側を覆う形状となっている。
【００１７】
このサブカバー１１の下端部も前記と同様に屈曲されて、プラグイン接続端子３のプラグ４の先端の外向きガイド部９に当接するリブ１０を形成してある。これによりプラグ４の先端が予め押し広げられ、図１０のように母線バーＢをプラグ４の内部にまで挿入するために必要な挿入荷重が少なくなり、母線バーＢへの嵌着作業が容易になる。また母線バーＢによってプラグ４の先端が押し広げられ、リブ１０から離れた後はリブ１０の影響がなくなることも、第１の発明と同様である。
【００１８】
しかし、ベース１よりもサブカバー１１の方が小さいためにひねり等の変形が生じにくく、第１の発明よりも精度よくプラグ４の先端を押し広げることができる利点がある。
【００１９】
以上に説明したように、これらの発明によれば母線バーＢへの挿入荷重を減少させることができ、装着作業が容易となるうえに、プラグ４の先端がリブ１０から離れた後はリブ１０の影響を受けることがないので、プラグイン接続端子３と母線バーＢとの圧着力が損なわれることがない利点がある。またプラグイン接続端子３の内部に他の部品を組み込む必要がないため、組み付け作業が容易となる。
【図面の簡単な説明】
【００２０】
【図１】第１の発明の実施形態における母線バーへの取付け前の部分断面図である。
【図２】図１の底面図である。
【図３】図１の要部拡大断面図である。
【図４】母線バーへの取付け後の部分断面図である。
【図５】図４の要部拡大断面図である。
【図６】第２の発明の実施形態における母線バーへの取付け前の部分断面図である。
【図７】図６の要部拡大断面図である。
【図８】はサブカバー装着前の斜視図である。
【図９】はサブカバー装着後の斜視図である。
【図１０】母線バーへの取付け後の要部拡大断面図である。
【符号の説明】
【００２１】
１  ベース
２  回路遮断器本体
３  プラグイン接続端子
４  プラグ
５  スプリング
６  導体
７  ネジ
８  壁面
９  外向きガイド部
１０  リブ
１１  サブカバー
１２  ネジ
１３  垂下壁
１４  ネジ取り付け部
Ｂ  母線バー
【図１】
2008123779.tif 000003
【図２】
2008123779.tif 000004
【図３】
2008123779.tif 000005
【図４】
2008123779.tif 000006
【図５】
2008123779.tif 000007
【図６】
2008123779.tif 000008
【図７】
2008123779.tif 000009
【図８】
2008123779.tif 000010
【図９】
2008123779.tif 000011
【図１０】
2008123779.tif 000012